(57)【要約】【課題】  発光体全体における発光ムラが少なく、かつ、内部の化学組成物等の漏出のおそれが少ない偏平状発光体を提供する。【解決手段】  第一の化学組成物と第二の化学組成物との２種の化学組成物を混合することで化学発光を生じさせる化学組成物を用いた偏平状発光体であって、前記２種の化学組成物のうち第一の化学組成物である高粘度化学組成物を保持した多孔性シートを配置した外袋と、前記外袋内に配置され、前記２種の化学組成物の第二の化学組成物である液状化学組成物を含有する内袋とを有することを特徴とする偏平状発光体。【選択図】  図１
2016150956.tif 000002
【特許請求の範囲】
【請求項１】
第一の化学組成物と第二の化学組成物との２種の化学組成物を混合することで化学発光を生じさせる化学組成物を用いた偏平状発光体であって、
前記２種の化学組成物のうち第一の化学組成物である高粘度化学組成物を保持した多孔性シートを配置した外袋と、
前記外袋内に配置され、前記２種の化学組成物の第二の化学組成物である液状化学組成物を含有する内袋とを有することを特徴とする偏平状発光体。
【請求項２】
前記内袋を保護する内袋保護シートを設けたことを特徴とする請求項１に記載の偏平状発光体。
【請求項３】
前記内袋が、前記外袋内に折り曲げられた状態で配置されることを特徴とする請求項１または２に記載の偏平状発光体。
【請求項４】
前記外袋に配置される多孔性シートを、前記外袋内に複数の層を有するように配置することを特徴とする請求項１〜３のいずれか１項に記載の偏平状発光体。
【請求項５】
前記外袋内に配置された複数の層を有する多孔性シート間に、前記内袋を設けたことを特徴とする請求項４に記載の偏平状発光体。
【請求項６】
前記第一の化学組成物が化学発光用の酸化組成物であり、前記第二の化学組成物が化学発光用の蛍光組成物であることを特徴とする請求項１〜５のいずれか１項に記載の偏平状発光体。
【請求項７】
外袋が、ポリエチレンおよび／またはポリプロピレン製シートの内層と、ポリエチレンテレフタレート製シートの外層との積層シートであることを特徴とする請求項１〜６のいずれか１項に記載の偏平状発光体。
【請求項８】
前記第一の化学組成物である高粘度化学組成物が、ヒュームドシリカを含有する高粘度化学組成物であることを特徴とする請求項１〜７のいずれか１項に記載の偏平状発光体。
【請求項９】
偏平状化学発光体が、装飾具であることを特徴とする請求項１〜８のいずれか１項に記載の偏平状発光体。
【発明の詳細な説明】
【技術分野】
【０００１】
本発明は、化学発光用の化学組成物を用いた偏平状発光体に関する。この偏平状発光体は、装飾具や装身具などに適した均一な発光性等を有する。
【背景技術】
【０００２】
従来、コンサートライトのようにイベント時に用いられるライトや防災用ライト等の手持ち型ライト、夜間の釣り用に使用される浮き、セレモニー会場の装飾等のように、化学発光用蛍光液と化学発光用酸化液の組み合わせのような２種類の液体や固体を混合させることで化学発光を生じさせる化学発光体が広く用いられている。これらの化学発光体には種々の形状があるが、代表的なものとしては、筒状のコンサートライトがあり、これは、化学発光用の蛍光液を外部ケース内に、さらにその中に、化学発光用の酸化液を充填したガラスアンプルの内部ケースを設けた構成が一般的である。そして、保管時においては酸化液と蛍光液がガラスアンプルによって分離されるものの、使用時には化学発光体を折り曲げることでガラスアンプルが破割し、２種の液が混合し筒状容器内で化学発光が生じる構成とされている。
【０００３】
この化学発光を利用するものとして、特許文献１には偏平状化学発光具が開示されている。これは、薄い平面状で、柔軟性があり、液漏れを生じない偏平状化学発光具を提供するものであり、例えばワッペン状玩具なとどして用いられるものである。また、特許文献２には、ざ瘡の化学発光治療に用いられるマスク等が開示されている。これは、特定の波長の光が、ざ瘡の治療に有用であるという知見に基づき、その治療に有効な波長の光を、マスク状等のフレキシブル容器内で化学発光を生じさせ、そのマスクを取り付けることで皮膚症状（ざ瘡）の治療を行うものである。
【０００４】
一方、化学発光体は、一般的には、蛍光液と、酸化液との混合性を高めるために、いずれも流動性が高い低粘性の液状とすることが多いが、固体等を用いても良く、例えば、特許文献３には、高い粘性を有する組成物を用いた印付けシステムおよびそのメカニズムを利用した収容デバイスが開示されている。
【先行技術文献】
【特許文献】
【０００５】
【特許文献１】特開２００４−２６５８０９号公報
【特許文献２】特表２００５−５２１４７９号公報
【特許文献３】特表２０１４−５０１９２１号公報
【発明の概要】
【発明が解決しようとする課題】
【０００６】
本発明は、化学発光を利用して、例えば仮装用のマスクなどの身の回りで用いる装身具としても利用することができる偏平状発光体を提供することを目的とする。偏平状発光体として、その形状の自由度を高めるために、フィルムやシートを用いて薄く成型した外袋を用いた方がよいが、発光体の内部に蛍光液と酸化液の分離に汎用されているガラスアンプルを用いると、破割されたガラスアンプルによって外袋まで破れてしまうおそれがあり危険である。このために、特許文献１、２では内袋（中袋）に、軟質でフィルム状のＰＥやＰＰ、プラスチックパッケージを利用することが提案されている。
【０００７】
また、化学発光用組成物を液体として用いると、偏平状発光体の鉛直方向の下側に液が溜まり、液が少ない上側との発光ムラが生じてしまう。これを避けるために、特許文献１では、不織布、布、紙等の液体吸収性素材シートを用いて、鉛直に液を保持することができる技術が開示されている。しかし、化学発光組成物を単なる混合物の液状のままで用いる場合、液体吸収性素材シートに保持される液量にも限界があり、保持される液量の差により偏平状化学発光体の上下で発光ムラが生じやすかった。
【０００８】
一方、液以外を用いた化学発光組成物として、特許文献３が開示されているが、これは、あくまで地面や紙等に、化学発光組成物を用いた文字や図形等のマーキング（印付け）をするために、容器から吐出した化学発光組成物が高粘性を示すように調製されたものであり、容器内において高粘度の化学発光組成物を利用しようとするものではなかった。
【課題を解決するための手段】
【０００９】
本発明者は、上記課題を解決すべく鋭意研究を重ねた結果、下記の発明が上記目的に合致することを見出し、本発明に至った。
【００１０】
本発明は、第一の化学組成物と第二の化学組成物との２種の化学組成物を混合することで化学発光を生じさせる化学組成物を用いた偏平状発光体であって、前記２種の化学組成物のうち第一の化学組成物である高粘度化学組成物を保持した多孔性シートを配置した外袋と、前記外袋内に配置され、前記２種の化学組成物の第二の化学組成物である液状化学組成物を含有する内袋とを有することを特徴とする偏平状発光体に関する。このような偏平状発光体とすることで、発光体内部で均質な発光を維持することができる。
【００１１】
本発明は、第一の化学組成物と第二の化学組成物との２種の化学組成物を混合することで化学発光を生じさせる化学発光組成物を用いた偏平状発光体に関する。ここで、混合することで化学発光を生じさせる２種の化学組成物とは、例えば、化学発光用の蛍光組成物（シュウ酸エステルと色素、溶媒等）と化学発光用の酸化組成物（過酸化水素水のような酸化剤と触媒成分、溶媒等）が挙げられる。この２種の化学組成物のうち、外袋内に高粘度化学組成物として使用される化学組成物を第一の化学組成物とし、内袋内に液状化学組成物として使用される化学組成物を第二の化学組成物とする。前述した化学発光用の蛍光組成物と化学発光用の酸化組成物とを用いる場合、一方を第一の化学組成物とした場合、他方が第二の化学組成物として用いられる。
【００１２】
本発明の化学発光組成物は、これらの２種の化学組成物を、内袋により分離する。このとき、内袋を内包する外袋の内部であり、かつ、内袋の外に第一の化学組成物を加え、この外袋に内包されている内袋に、第二の化学組成物を加える。使用時には、外袋内で内袋を破割させることで、外袋内の第一の化学組成物と、内袋内の第二の化学組成物が混合され化学発光が生じる。
【００１３】
本発明の偏平状化学発光体の外袋には、前記２種の化学組成物の一方である高粘度化学組成物を含有することを特徴とする。高粘度化学組成物とは、第一の化学組成物に増粘剤を含むことで粘度を上昇させたものである。化学発光用の酸化組成物を例にすると、従来の代表的な組成としては、過酸化水素水、酸化剤、触媒および溶媒の混合物が用いられており、粘度が低い液であった。本発明においては、ここに、さらに化学組成物中に増粘剤を加えることで、粘度を上昇させることで、外袋内に配置される多孔性シートによる保持性も向上し、偏平状発光体内で沈降しにくくなる。本発明の高粘度化学組成物に用いる増粘剤としては、任意の粘度が得られるものであれば特に限定されず、高粘度化学組成物中に使用する溶媒等の成分を著しく劣化させることがないものを適宜選択することができる。この増粘剤としては、ワックスや超低分子量ポリエチレン、ペトロラタム物質、パラフィン、ポリマー、ヒュームドシリカなどが挙げられる。適切な増粘剤のさらなる例としては、ポリアミド、塩化ビニル樹脂、ポリスチレン、およびポリアクリレートのようなポリマー性増粘剤、ゴム改質剤、ゴム、デンプン、食用ゲル、ポリアクリルアミドならびにヒュームドシリカからなる群から選択される１以上の物質などを用いることができる。また、これらの増粘剤は適宜、組み合わせて用いることもできる。これらのなかでも、ヒュームドシリカを用いることが好ましい。
【００１４】
ここで、ヒュームドシリカとは、熱分解により製造された二酸化ケイ素のことであり、四塩化ケイ素等の蒸発可能なケイ素化合物を、例えば、水素と酸素の混合物中で燃焼させ、加水分解することにより製造されたものである。そのため、ヒュームドシリカの表面には、シラノール基が存在しており、親水性を示す。疎水性の溶媒の場合、アルキルシリル基等を表面に修飾したヒュームドシリカの表面処理物を用いることが好ましい。このようなヒュームドシリカとしては、例えば、日本アエロジル株式会社のアエロジル（登録商標）や、旭化成ワッカーシリコーン株式会社のフュームドシリカＨＤＫ（登録商標）等を用いることができる。また、ヒュームドシリカは無機物であるため、化学発光組成物中での安全性も優れる。
【００１５】
増粘剤として、ヒュームドシリカを用いる場合、第一の化学組成物全体におけるヒュームドシリカの濃度は、１〜１５重量％であることが好ましい。その下限は、より好ましくは、２重量％以上、更に好ましくは５重量％以上であることが好ましい。また、その上限は、より好ましくは１２重量％以下、更に好ましくは１０重量％以下である。このような濃度で増粘剤としてのヒュームドシリカを混合することで、高粘度化学組成物は多孔性シートにより安定して保持されやすくなる。
【００１６】
また、この高粘度化学組成物の適した粘度としては、回転式粘度計により測定した粘度が、１００ｍＰａ・ｓ以上であることが好ましい。より好ましくは５００ｍＰａ・ｓ以上であり、さらに好ましくは１，０００ｍＰａ・ｓ以上である。また、その上限は、多孔性シートへの浸透・保持性や、偏平状化学発光体全体としての加工性の観点から、１，５００，０００ｍＰａ・ｓ以下であることが好ましい。より好ましくは５００，０００ｍＰａ・ｓ以下であり、さらに好ましくは１００，０００ｍＰａ・ｓ以下である。この測定にあたっては、例えばコーンプレート型粘度計を用いて、測定温度２５℃、せん断速度５０（１／ｓ）における値として求めることができる。
【００１７】
また、本発明の偏平状化学発光体の外袋には、多孔性シートを配置する。多孔性シートとは、多量の細孔があるシートであり、高粘度化学組成物を浸透させ保持することができるものである。このようなシートとしては、ポリエチレン（ＰＥ）やポリプロピレン（ＰＰ）、レーヨンなどを素材とする織布や不織布等が挙げられ、これらの素材を単独で用いた不織布や、あるいは複数組み合わせた複合不織布を用いることができる。この多孔性シートには、高粘度化学組成物の浸透・保持性と、偏平状発光体の形状を維持させるための一定の形状保持性（機械的強度）が求められることから、多孔性シートとして、高粘度化学組成物に用いられる化合物、特に溶媒に一定の耐性があり、それらの化合物と接しても分解しにくいように、適宜、複数の素材を組み合わせた複合不織布を用いることが好ましい。この多孔性シートの厚みは３０μｍ以上程度のものが用いられ、偏平状化学発光体の用途にも併せて適宜、２ｍｍ以下や１ｍｍ以下、５００μｍ以下程度の厚みのものが用いられる。
【００１８】
この多孔性シートは、偏平状化学発光体の外袋の形状に合わせて内部に広く配置される。このような構成とすることで、外袋内に高粘度化学発光組成物を使用したとき、外袋内で鉛直方向の下側に組成物がたまることを防ぐことができ、偏平状化学発光体全体に広く均一な発光部を設けることができる。また、内袋内の第二の化学発光組成物を外袋内に展開したとき、多孔性シートと第一の化学組成物として高粘度化学組成物を用いていることで、発光時間が長くなる。
【００１９】
本発明の偏平状発光体は、外袋に配置される多孔性シートを、外袋内に複数の層を有するように配置することが好ましい。すなわち、複数枚の多孔性シートを配置したり、１枚の多孔性シートを折り曲げて複数の層となるように配置することが好ましい。複数の層を有するように配置することで、それぞれの層（シート）の吸液量を制御して発光性を調整したり、全体としての機械的強度を向上させたりといった、より高度な設計を行うことができる。また、この複数の層の間に内袋を設ければ、外観から内袋が見えにくくなるため、両面からの意匠性が優れたものとなる。また、この複数の層として、吸液性が高い吸液性シート層と、吸液性が低く靱性が高い疎液性シート層とを有することが好ましい。吸液性が高いシートが高粘度化学組成物をより多く保持し、この吸液性シートよりも吸液性が劣るシートはより機械的強度が高く、偏平状発光体の形状維持により寄与する構成とすることで、発光の均一性と、偏平状発光体としての形状の安定性とが向上する。
【００２０】
本発明の偏平状発光体は、外袋が、ポリエチレン（ＰＥ）および／またはポリプロピレン（ＰＰ）製シートの内層と、ポリエチレンテレフタレート（ＰＥＴ）製シートの外層との積層シートであることが好ましい。このような構成とすることで、内層のシートにより外袋内の化学組成物に対する耐溶媒性を維持しつつ、靱性が高いＰＥＴにより、内層のシートや外袋の内部構造に損傷を与えにくくなるため、安全性に優れている。また、偏平状化学組成物全体として、複雑な成型も行いやすく、ヒートシールにより封止することができるため製造しやすい。
【００２１】
この積層シートに用いる、ポリエチレン（ＰＥ）および／またはポリプロピレン（ＰＰ）製シートの内層とは、ポリエチレンとポリプロピレンのいずれかあるいは双方を合わせたものを主たる成分として、適宜、成型助剤等を混合して成形されたシートである。このシートは、外袋内部の化学組成物等と直接接触し、これらの化学組成物等が漏出することを防止するために用いられるため、耐溶媒性が高く、通液性や通気性が低いものが用いられる。また、その厚みは、内容物の漏出を十分に防止することができるものであればよいが、１μｍ〜５００μｍ程度のものが用いられる。
【００２２】
ポリエチレンテレフタレート（ＰＥＴ）製シートの外層とは、ポリエチレンテレフタレートを主たる成分として、適宜、成型助剤等を混合して成形されたシートである。このシートは、外袋内部の化学組成物等が漏出することを防止するために用いられる。このポリエチレンテレフタレートは内層に用いられるＰＥ、ＰＰと比べて耐溶媒性が低い傾向にあるが、靱性や衝撃強度等の機械特性が高い傾向にあるため、外部からの衝撃を内部に伝達しにくく、また、内袋の破割等の内部で生じた衝撃によっても破れたりしにくく発光体全体の保護性が優れているため、外層の保護材として適したものである。また、その厚みは、内容物の漏出を十分に防止することができるものであればよいが、１０μｍ〜５００μｍ程度のものが用いられる。また、内層に用いられるＰＥ／ＰＰとの接着性にも優れている。
【００２３】
本発明の偏平状発光体は、前記外袋内に配置され、前記２種の化学組成物の第二の化学組成物である液状化学組成物を含有する内袋を有する。この内袋は、例えば、ポリエチレン（ＰＥ）やポリプロピレン（ＰＰ）のように、化学発光体に用いられる溶媒に対する耐性が高い樹脂製のシートにより成形された袋が好ましく用いられる。この内袋の内部には、その外部であり、かつ外袋内部の主に多孔性シートに保持される第一の化学発光組成物と混合されたときに発光する第二の化学組成物が内包される。例えば、第一の化学発光組成物が化学発光酸化組成物の場合、第二の化学発光組成物には化学発光用蛍光組成物が用いられる。この第二の化学組成物は、流動性が高い液状化学組成物として調製されたものを用いることが好ましい。第一の化学組成物は、前述のように高粘度化学組成物として調製されるため、多孔性シートに保持され、発光の均一性等に優れている。一方、この第一の化学組成物と混合される第二の化学組成物は、使用時に、内袋から展開されて速やかに第一の化学組成物と混合されるように流動性が高い液体であることが好ましい。
【００２４】
本発明の偏平状発光体は、前記第一の化学組成物が化学発光用の酸化組成物であり、前記第二の化学組成物が化学発光用の蛍光組成物であることが好ましい。本発明においては、全体として薄い偏平状の発光体を提供するために、外袋および内袋等も一般的な筒状の化学発光体と比べると各層が薄い傾向にある。このため、外袋の外部から空気中の酸素や水分等の気体も通過しやすくなる。このため、第一の化学組成物は空気と接触する機会が多くなりやすい。このとき、化学発光用の酸化組成物は、比較的、空気と接触しても劣化しにくい。一方、例えば、空気中の水分（湿気）によって蛍光組成物中のシュウ酸エステルの加水分解が生じて劣化する場合がある。よって、前記第一の化学組成物が化学発光用の酸化組成物であり、前記第二の化学組成物が化学発光用の蛍光組成物とすることで、蛍光組成物が空気と接触することが減るため、より長期間保管することに適した偏平状発光体とすることができる。
【００２５】
また、外袋の内部に配置される多孔性シートが複数の層を有する場合、その層の間に内袋を配置することが好ましい。このように配置することで、一部前述したように、外観から内袋が見えにくくなるため、両面からの意匠性が優れたものとなる。また、内袋内部の液状化学組成物が、表面側の多孔性シートと、裏面側の多孔性シートとの両面の方向に展開するため混合が早くなり、より速やかに均一な発光とすることができる。
【００２６】
また、本発明の偏平状発光体に用いられる内袋は、折り曲げた状態で外袋内に配置されることが好ましい。このような構成とすることで、外袋の外部から内袋付近を押圧したとき内袋が破割しやすくなる。この時、内袋が樹脂シート製であることから、そのまま押圧しても袋内部で液状組成物等の内容物が非押圧部に逃げ応力が集中しにくくなり破割しにくい場合がある。このため、さらに外袋内に内袋を配置する際、２つ折り等のように折り曲げた状態で配置しておくことで、内袋の内容物の逃げ場が少なくなり押圧の応力が伝わりやすくなる。このように内袋が破割しやすくなると、外袋の外部からかける圧力も小さくてよくなるため、偏平状化学組成物そのものも損傷を受けにくくなり、外袋が破れたりするおそれが少なくなる。
【００２７】
また、内袋には易割部を設けておいても良い。この易割部は、例えば、厚みが薄い領域を設けたシートにより内袋を作成したり、内袋をテープで留めた部分がテープの粘着力に依存して破割しやすくしたり、内袋をヒートシールした部分が他の領域と比べて柔軟性が低下することで応力が集中しやすくなることで、易割部として機能させることができる。このような易割部は、内袋を破割するための押圧がかかったときに、容易に破割する。
【００２８】
本発明の偏平状発光体は、前記内袋を保護する内袋保護シートを設けることが好ましい。このような内袋保護シートを設けることで、非使用時に内袋に応力がかかることを防止することができる。また、このような内袋保護シートを用いることで、内袋を折り曲げた状態を保持しやすくなる。
【００２９】
本発明の偏平状発光体は、例えばコースターやワッペン等のように用いることができる。また、この他にも、鉛直方向の下方向への液の沈降、液だれが少ないことから、偏平状の装飾具全般に用いることができ、さらに、安全性も高い設計となっていることからマスクのような偏平状の装身具としても用いることができる。
【発明の効果】
【００３０】
本発明によれば、外袋内部全体にわたって発光ムラが少なく、かつ、内部の化学組成物等の漏出のおそれが少ない偏平状化学発光体とすることができる。
【図面の簡単な説明】
【００３１】
【図１】本発明の偏平状発光体の一実施形態を示す概略断面図を示す図である。
【図２】本発明の偏平状発光体に用いられる外袋の構成の一例を示す概略断面図である。
【図３】本発明の偏平状発光体の一実施形態を示す概略正面図である。
【発明を実施するための形態】
【００３２】
以下に本発明の実施の形態を詳細に説明するが、以下に記載する構成要件の説明は、本発明の実施態様の一例（代表例）であり、本発明はその要旨を変更しない限り、以下の内容に限定されない。
【００３３】
図１に、本発明の偏平状発光体の略式断面図を示す。この図は、多孔性シート４が二層となるように配置した外袋２と、前記外袋２内に配置され内袋３と、前記内袋３を保護する内袋保護シート７を有する偏平状発光体１を示すものである。この外袋２内には、多孔性シート４に保持されている第一の化学組成物である高粘度化学組成物６が含有されている。この多孔性シート４には例えばＰＰ不織布シート等が用いられる。また、内袋３には、第二の化学組成物である液状化学組成物５が含有されている。使用時に、外袋２内で内袋３を破割することで、高粘度化学組成物６と液状化学組成物５とが混合され、化学発光が生じる。
【００３４】
図２に、本発明の偏平状発光体に用いられる外袋の構成の一例を示す概略断面図を示す。本発明の偏平状発光体の外袋２には、この図２に示すような、ＰＥＴ製シートの外袋外層２１と、ＰＰ製シートの外袋内層２２とを積層した積層シートを用いることが好ましい。
【００３５】
図３に、本発明の偏平状発光体の一実施形態を示す概略正面図を示す。図３は、マスク状に成形した偏平状発光体１１を示すものである。この偏平状発光体１１においては、内袋３を２つ折りに折り曲げて内袋保護シート７内に配置させており、外袋内の内容物を収容したのち、溶着部８を溶着したものである。
【実施例】
【００３６】
以下、実施例により本発明を更に詳細に説明するが、本発明は、その要旨を変更しない限り以下の実施例に限定されるものではない。
【００３７】
［実施例１］
以下の、外袋、内袋、内袋保護シート、ＰＰ不織布シート、高粘度化学組成物、液状化学組成物を用いて、図３に示すようなマスク形状の偏平状発光体を製造した。
【００３８】
・外袋
内層として厚み１．２μｍのＰＰ製シートと、外層として厚み１３．８μｍのＰＥＴ製シートとを積層した、積層シートを用いて外袋の成形を行った。この外袋は、幅約１８ｃｍ、高さ約１５ｃｍの大きさで、図３に示すような形状とした。
【００３９】
・内袋
厚み１４μｍのＰＰ製シートを用いて成型された内袋を用いた。なお、外袋の内部に設けた内袋保護シートに封入する際、二つ折りに折り曲げて封入できるように、内袋の厚み、液量を調整した。
【００４０】
・内袋保護シート
厚み１４μｍのＰＰ製シートで、袋状のシートに３つの開口部を設けた内袋保護シートを用いた。
【００４１】
・多孔性シート（ＰＰ不織布シート）
厚み２００μｍのＰＰ製不織布シートを用いた。この不織布シートは、外袋の内側の形状に合わせて裁断したものを２枚準備し、外袋内に配置する多孔性シートとして用いた。
【００４２】
・高粘度化学組成物
フタル酸ジメチル７０重量部とジエチレングリコールモノエチルエーテル３０重量部とを混合し、混合溶媒（１）を調製した。
過酸化水素水が３重量％、ハイドロキノンが０．５ｍｍｏｌ／Ｌ、サリチル酸ナトリウムが０．７ｍｍｏｌ／Ｌ、前記混合溶媒（１）が残部となるように混合して、酸化液組成物（１）を調製した。この酸化液組成物（１）を１００重量部と、ヒュームドシリカ（日本アエロジル（株）製、ＡＥＲＯＳＩＬ（登録商標）−２００）を８重量部とを混合して高粘度化学組成物（１）を調製した。この高粘度化学組成物（１）は、化学発光の酸化組成物として機能する。
【００４３】
・液状化学組成物
アセチルクエン酸トリブチル８０重量部と安息香酸ベンジル２０重量部とを混合し、混合溶媒（２）を調製した。
シュウ酸エステル化合物としてのビス（２，４，５−トリクロロ−６−（ペンタオキシカルボニル）フェニル）オキサレート（Bis-[2,4,5-trichloro-6-(pentyloxycarbonyl)phenyl]oxalate：ＣＰＰＯ）が０．１６４ｍｏｌ／Ｌ、蛍光剤が３．２７ｍｍｏｌ／Ｌ、前記混合溶媒（２）が残部となるように混合して、液状化学組成物（１）を調製した。この液状蛍光組成物（１）は、化学発光の蛍光組成物として機能する。
【００４４】
まず、外袋の形状に合わせて裁断したＰＰ不織布シート２枚に高粘度化学組成物（１）を十分に浸透させ保持させた。次に、外袋の中にＰＰ不織布シートを配置し、内袋保護シート、内袋を挿入するための部分（マスク上部の開口部）を除き、周辺部を溶着した。一方、内袋に液状化学組成物（１）を８ｃｃ加えて開口部を溶着して液状化学組成物を含む内袋を準備した。次に、上部の未溶着部を開口し、その開口部から、内袋保護シートを不織布シートの間に配置し、その内袋保護シート内に２つ折りにした液状化学組成物を含む内袋を入れ、内袋保護シートの開口部と外袋の未溶着部とをそろえて合わせて溶着させて、マスク状の偏平状発光体（１）を得た。この偏平状発光体は、最も厚い部分で厚み約１ｃｍであった。
【００４５】
偏平状発光体（１）の内袋を配置した部分付近を指で押圧した結果、外袋内で内袋が破割し、液状化学組成物が外袋内で展開した。この液状化学組成物が、外袋内の多孔性シートに保持されている高粘度化学組成物と接触することで化学発光が生じた。偏平状化学発光体は、仮装用のマスクとして顔に取り付けるような使用をしても、鉛直方向に液の沈降等は生じず、全体が均一に長時間発光した。
【産業上の利用可能性】
【００４６】
本発明は、偏平状の化学発光体に関するものであり、この偏平状化学発光体は、例えば、装飾具や装身具、玩具として使用することができる。
【符号の説明】
【００４７】
１  偏平状発光体
２  外袋
２１  外袋外層
２２  外袋内層
３  内袋
４  多孔性シート
５  液状化学組成物
６  高粘度化学組成物
７  内袋保護シート
８  溶着部
【図１】
2016150956.tif 000003
【図２】
2016150956.tif 000004
【図３】
2016150956.tif 000005